(57)【要約】脆弱性に対するテクノロジー情報をモニタする方法において、脆弱性を検知し、該脆弱性をリサーチし且つ該脆弱性を脆弱性データ内にドキュメント化する自動化したワークフロープロセスを有している方法。
2006511855.tif 000002
【特許請求の範囲】
【請求項１】
脆弱性について技術情報をモニタする方法において、本方法が、
脆弱性を検知し、
前記脆弱性をリサーチし、
前記脆弱性を脆弱性データ内にドキュメント化する、
ための自動化したワークフロープロセスを有している方法。
【請求項２】
請求項１において、前記自動化したワークフロープロセスが、更に、
前記脆弱性及び前記脆弱性データをレビューし、
前記脆弱性データを編集し、
前記脆弱性及び前記脆弱性データを承認し、
前記脆弱性及び前記脆弱性データをデータベースに対してパブリッシュする、
ことを包含している方法。
【請求項３】
請求項１において、前記ワークフロープロセスにおける各ステップにおいて、参照名、参照番号及びテクノロジー名を包含する参照データを前記脆弱性データへ付加することが可能であり且つ前記参照データが承認のためにアプルーバに対して提示される方法。
【請求項４】
請求項１において、前記ワークフロープロセスにおける各ステップにおいて、ワークフローコメントを前記脆弱性データへ付加することが可能であり且つ前記ワークフローコメントを最も最近に付加したものを最初に示す態様で前記ワークフロープロセスのステップ期間中に表示させることが可能である方法。
【請求項５】
請求項１において、テクノロジー情報を階層的構造で前記脆弱性データへ付加し、前記テクノロジー情報が、少なくとも、
ベンダー情報、
プロダクト情報、
レリーズ情報、
を有している方法。
【請求項６】
請求項１において、自動化したワークフロープロセスステップが、各々が１つ又はそれ以上のユーザ役割が割当てられている一人又はそれ以上のユーザにより実施され、各一人又はそれ以上のユーザが実施すべきタスクのリストが割当てられ、各タスクは前記自動化したワークフロープロセス内の単一のプロセスステップにおける単一の脆弱性である方法。
【請求項７】
請求項６において、前記一人又はそれ以上のユーザが、前記一人又はそれ以上のユーザに対して必要とされるレビューのレベルを決定するために前記自動化したワークフロープロセスにより使用することが可能な経験のレベルが割当てられる方法。
【請求項８】
請求項６において、前記一人又はそれ以上のユーザが１つ又はそれ以上のユーザのグループへ割当てられ、前記タスクが前記１つ又はそれ以上のユーザのグループの１つのグループのユーザへ割当てられる場合があり、前記一人又はそれ以上のユーザのうちのいずれか一人が前記タスクを開くことが可能であり、前記グループ内の一人のユーザは、前記ユーザが前記タスクと関連するプロセスステップを実施することが可能である前に前記タスクを開かねばならず、且つ前記タスクが開いている間に、前記タスクはロックされた状態にあり且つ前記グループ内の別のユーザは前記タスクを開くことができず且つ前記別のユーザは前記脆弱性データを修正することが不可能である方法。
【請求項９】
請求項６において、実施すべきタスクの前記割当てられたリストが、前記一人又はそれ以上のユーザのうちの一人のユーザに対して表示されるタスクリストを有しており、前記ユーザが、前記タスクリストが表示される態様を変化させることが可能である方法。
【請求項１０】
請求項６において、前記一人又はそれ以上のユーザはログイン名及びパスワードを使用して前記自動化したワークフロープロセスへログインし、且つ前記自動化したワークフロープロセスはどれ程長い間前記ユーザがログインしたままであるかを表わすデータをキャプチャし、前記キャプチャしたデータがレポートを発生するために使用される方法。
【請求項１１】
コンフィギュレーションスタンダードに対するテクノロジー情報をモニタする方法において、
コンフィギュレーションスタンダードを開始させ、
前記コンフィギュレーションスタンダードをリサーチし、
前記コンフィギュレーションスタンダードをコンフィギュレーションスタンダードデータ内にドキュメント化する、
自動化したワークフロープロセスを有している方法。
【請求項１２】
請求項１１において、前記自動化したワークフロープロセスが、更に、
前記コンフィギュレーションスタンダード及び前記コンフィギュレーションスタンダードデータをレビューし、
前記コンフィギュレーションスタンダードデータを編集し、
前記コンフィギュレーションスタンダード及び前記コンフィギュレーションスタンダードデータを承認し、
前記コンフィギュレーションスタンダード及び前記コンフィギュレーションスタンダードデータをデータベースに対してパブリッシュする、
ことを包含している方法。
【請求項１３】
請求項１１において、前記ワークフロープロセスにおける各ステップにおいて、参照名と、参照番号と、テクノロジー名とを包含している参照データを前記コンフィギュレーションスタンダードデータへ付加することが可能であり且つ前記参照データが承認のためにアプルーバに対して提示される方法。
【請求項１４】
請求項１１において、前記ワークフロープロセスにおける各ステップにおいて、ワークフローコメントを前記コンフィギュレーションスタンダードデータへ付加することが可能であり且つ前記ワークフローコメントは最も最近に付加したものを最初に示す態様で前記ワークフロープロセスのステップ期間中に表示させることが可能である方法。
【請求項１５】
請求項１１において、テクノロジー情報を階層的構造で前記コンフィギュレーションスタンダードデータへ付加し、前記テクノロジー情報は、少なくとも、
ベンダー情報、
プロダクト情報、
レリーズ情報、
を有している方法。
【請求項１６】
請求項１１において、自動化したワークフロープロセスステップが各々が１つ又はそれ以上のユーザ役割が割当てられている一人又はそれ以上のユーザにより実施され、各一人又はそれ以上のユーザが実施すべきタスクのリストが割当てられており前記タスクのリスト内の各タスクは前記自動化したワークフロープロセス内の単一のプロセスステップにおける単一のコンフィギュレーションスタンダードである方法。
【請求項１７】
請求項１６において、前記一人又はそれ以上のユーザはユーザに対して必要とされるレビューのレベルを決定するために前記自動化したワークフロープロセスにより使用することが可能な経験のレベルが割当てられる方法。
【請求項１８】
請求項１６において、前記一人又はそれ以上のユーザが１つ又はそれ以上のユーザのグループへ割当てられ、前記タスクが、ユーザの１つのグループへ割当てることが可能であり、そのグループのうちのいずれか一人が前記タスクを開くことが可能であり、前記グループ内の一人のユーザが、前記ユーザが前記タスクと関連するプロセスステップを実施することが可能である前に前記タスクを開き、且つ前記タスクが開いている間に、前記タスクがロックされた状態となり且つ前記グループ内の別のユーザは前記タスクを開くことはできず且つ前記別のユーザは前記コンフィギュレーションスタンダードデータを修正することが不可能である方法。
【請求項１９】
請求項１６において、前記実施すべきタスクの割当てられたリストが、前記一人又はそれ以上のユーザと共に一人のユーザへ表示されるタスクリストを有しており、前記ユーザは、前記タスクリストが表示される態様を変化させることが可能である方法。
【請求項２０】
請求項１６において、前記一人又はそれ以上のユーザがログイン名及びパスワードを使用して前記自動化したワークフロープロセスへログインし、前記自動化したワークフロープロセスは、前記ユーザのうちの各々がどれ程長い間ログインしているかを表わすデータをキャプチャし、前記キャプチャしたデータがレポートを発生するために使用される方法。
【請求項２１】
自動化したワークフロープロセスと共に使用するためのコンフィギュレーションスタンダードを展開する方法において、
コンテントエントリを開始させ、
前記コンテントエントリをリサーチし、
前記コンテントエントリを妥当性検査し、
前記コンテントエントリを承認し、
前記コンテントエントリを承認したコンフィギュレーションスタンダードのデータベースへパブリッシュする、
ことを包含している方法。
【請求項２２】
自動化したワークフロープロセスを使用してコンテント管理システム内のコンテントをアップデートする方法において、前記コンテント管理システム内のコンテントがデータを前記システムへプッシュするのではなく、要求された場合にシステムがアップデートされたコンテントを得ることを可能とすることによりプル方法を使用するコンテントアップデートシステムによってアップデートされる方法。
【請求項２３】
自動化したワークフロープロセスを使用してコンテント管理システム内において使用するためのポリシーを作成する方法において、
コンテントエントリを開始し、
前記コンテントエントリをリサーチし、
前記コンテントエントリを妥当性検査し、
前記コンテントエントリを承認し、
前記コンテントエントリを承認したポリシーのデータベースに対してパブリッシュする、
ことを包含している方法。
【請求項２４】
脆弱性についてテクノロジー情報をモニタするための自動化したワークフローシステムにおいて、
脆弱性を検知するための検知器、
前記脆弱性をリサーチするためのリサーチャー、
脆弱性データ内に前記脆弱性をドキュメント化するドキュメンター、
を有しているシステム。
【請求項２５】
請求項２４において、前記自動化したワークフローシステムが、更に、
前記脆弱性及び前記脆弱性データをレビューするためのレビュアー、
前記脆弱性データを編集するためのエディター、
前記脆弱性及び前記脆弱性データを承認するためのアプルーバー、
前記脆弱性及び前記脆弱性データをデータベースに対してパブリッシュするためのパブリッシャー、
を有しているシステム。
【請求項２６】
請求項２４において、前記ワークフローシステムの各デバイスが、参照名と、参照番号と、テクノロジー名とを包含している参照データを前記脆弱性データへ付加することが可能であり且つ前記デバイスが参照データを承認のためにアプルーバーへ提示するシステム。
【請求項２７】
請求項２４において、前記ワークフローシステムの各デバイスが、ワークフローコメントを前記脆弱性データへ付加することが可能であり、且つ前記ワークフローコメントが最も最近に付加したものを最初に示す態様で前記ワークフローシステムの前記デバイスにより表示させることが可能であるシステム。
【請求項２８】
請求項２４において、更に、階層的構造で前記脆弱性データへ付加されたテクノロジー情報を有しており、前記テクノロジー情報が、少なくとも、
ベンダー情報、
プロダクト情報、
レリーズ情報、
を有しているシステム。
【請求項２９】
請求項２４において、更に、各々が１つ又はそれ以上のユーザの役割が割当てられている一人又はそれ以上のユーザを有しており、各一人又はそれ以上のユーザは実施すべきタスクのリストが割当てられており、各タスクは前記自動化したワークフローシステム内の単一のデバイスにおける単一の脆弱性であるシステム。
【請求項３０】
請求項２９において、前記一人又はそれ以上のユーザが、前記一人又はそれ以上のユーザに対して要求されるレビューのレベルを決定するために前記自動化したワークフローシステムにより使用することが可能な経験のレベルが割当てられるシステム。
【請求項３１】
請求項２９において、前記一人又はそれ以上のユーザが１つ又はそれ以上のユーザのグループへ割当てられ、前記タスクが前記１つ又はそれ以上のユーザのグループのうちの１つのグループのユーザへ割当てることが可能であり前記一人又はそれ以上のユーザのうちのいずれか一人が前記タスクが開くことが可能であり、前記グループ内の前記ユーザが、前記ユーザが前記タスクと関連するデバイスを活性化させることが可能となる前に前記タスクを開き、且つ前記タスクが開いている間に、前記タスクがロックされた状態にあり且つ前記グループ内の別のユーザは前記タスクを開くことが不可能であり且つ前記別のユーザは前記脆弱性データを修正することが不可能であるシステム。
【請求項３２】
請求項２９において、前記実施すべきタスクの割当てられたリストが、前記一人又はそれ以上のユーザのうちの一人のユーザに対して表示されるタスクリストを有しており、前記ユーザは、前記タスクリストが表示される態様を変化させることが可能であるシステム。
【請求項３３】
請求項２９において、前記一人又はそれ以上のユーザがログイン名及びパスワードを使用して前記自動化したワークフローシステムへログインし、前記自動化したワークフローシステムは、前記ユーザがどれ程長い間ログインしているかを表わすデータをキャプチャし、前記キャプチャしたデータがレポートを発生するために使用されるシステム。
【請求項３４】
コンフィギュレーションスタンダードに対するテクノロジー情報をモニタするための自動化したワークフローシステムにおいて、
コンフィギュレーションスタンダードを開始させるイニシエーター、
前記コンフィギュレーションスタンダードをリサーチするリサーチャー、
前記コンフィギュレーションスタンダードをコンフィギュレーションスタンダードデータ内にドキュメント化するドキュメンター、
を有しているシステム。
【請求項３５】
請求項３４において、前記自動化したワークフローシステムが、更に、
前記コンフィギュレーションスタンダード及び前記コンフィギュレーションスタンダードデータをレビューするレビュアー、
前記コンフィギュレーションスタンダードデータを編集するエディター、
前記コンフィギュレーションスタンダード及び前記コンフィギュレーションスタンダードデータを承認するアプルーバー、
前記コンフィギュレーションスタンダード及び前記コンフィギュレーションスタンダードデータをデータベースに対してパブリッシュするパブリッシャー、
を有しているシステム。
【請求項３６】
請求項３４において、前記ワークフローシステムの各デバイスが、参照名、参照番号、テクノロジー名を包含する参照データを前記コンフィギュレーションスタンダードデータへ付加することが可能であり、且つ前記デバイスが参照データを承認のためにアプルーバーに対して提示するシステム。
【請求項３７】
請求項３４において、前記ワークフローシステムの各デバイスがワークフローコメントを前記コンフィギュレーションスタンダードデータへ付加することが可能であり、且つ前記ワークフローコメントは、最も最近に付加したものが最初に示される態様で前記ワークフローシステムの前記デバイスにより表示させることが可能であるシステム。
【請求項３８】
請求項３４において、更に、階層的構造で前記コンフィギュレーションスタンダードデータへ付加したテクノロジー情報を有しており、前記テクノロジー情報は、少なくとも、
ベンダー情報、
プロダクト情報、
レリーズ情報、
を有しているシステム。
【請求項３９】
請求項３４において、更に、各々が１つ又はそれ以上のユーザの役割が割当てられている一人又はそれ以上のユーザを有しており、各一人又はそれ以上のユーザは実施すべきタスクのリストが割当てられ、前記タスクのリスト内の各タスクは前記自動化したワークフローシステム内の単一のデバイスにおける単一のコンフィギュレーションスダンダードであるシステム。
【請求項４０】
請求項３９において、前記一人又はそれ以上のユーザが一人のユーザに対して必要とされるレビューのレベルを決定するために前記自動化したワークフローシステムにより使用することが可能な経験のレベルを割当てられるシステム。
【請求項４１】
請求項３９において、前記一人又はそれ以上のユーザが１つ又はそれ以上のユーザのグループへ割当てられ、前記タスクは１つのグループのユーザへ割当てることが可能であり、そのグループのうちのいずれか一人が前記タスクを開くことが可能であり、前記グループ内の一人のユーザは、前記ユーザが前記タスクと関連するデバイスを活性化させることが可能となる前に前記タスクを開き、且つ前記タスクが開いている間に、前記タスクはロックされた状態にあり且つ前記グループ内の別のユーザは前記タスクを開くことが不可能であり且つ前記別のユーザは前記コンフィギュレーションスタンダードデータを修正することが不可能であるシステム。
【請求項４２】
請求項３９において、前記実施すべきタスクの割当てられたリストが、前記一人又はそれ以上のユーザのうちの一人のユーザに対して表示されるタスクリストを有しており、前記ユーザは前記タスクリストが表示される態様を変化させることが可能であるシステム。
【請求項４３】
請求項３９において、前記一人又はそれ以上のユーザは、ログイン名及びパスワードを使用して前記自動化したワークフローシステムへログインし、前記自動化したワークフローシステムは、前記ユーザのうちの各々がどれ程長い間ログインしているかを表わすデータをキャプチャし、前記キャプチャされたデータがレポートを発生するために使用されるシステム。
【請求項４４】
自動化したワークフローシステムと共に使用するためのコンフィギュレーションスタンダードを展開するシステムにおいて、
コンテントエントリを開始させるためのイニシエーター、
前記コンテントエントリをリサーチするためのリサーチャー、
前記コンテントエントリを妥当性検査するためのバリデーター、
前記コンテントエントリを承認するためのアプルーバー、
前記コンテントエントリを承認したコンフィギュレーションスタンダードのデータベースに対してパブリッシュするためのパブリッシャー、
を有しているシステム。
【請求項４５】
自動化したワークフローシステムを使用してコンテント管理システム内のコンテントをアップデートするためのシステムにおいて、前記コンテント管理システム内の前記コンテントをアップデートするためのコンテントアップデートシステムを有しており、前記コンテントアップデートシステムが、前記システムへデータをプッシュするのではなく、要求された場合にアップデートされたコンテントをシステムが得ることを可能とするプル方法を使用するシステム。
【請求項４６】
自動化したワークフローシステムを使用してコンテント管理システム内において使用するポリシーを作成するシステムにおいて、
コンテントエントリを開始させるイニシエーター、
前記コンテントエントリをリサーチするリサーチャー、
前記コンテントエントリを妥当性検査するバリデーター、
前記コンテントエントリを承認するアプルーバー、
前記コンテントエントリを承認したポリシーのデータベースに対してパブリッシュするパブリッシャー、
を有しているシステム。
【請求項４７】
コンピュータシステムにおいて、
プロセッサ、
前記コンピュータシステムにより読取可能なプログラム格納装置であって、脆弱性に対してテクノロジー情報をモニタするための方法ステップを実施するために前記プロセッサにより実行可能な命令からなるプログラムを実現しているプログラム格納装置、
を有しており、前記方法ステップが、
脆弱性を検知し、
前記脆弱性をリサーチし、
前記脆弱性を脆弱性データ内にドキュメント化する、
ことを包含しているコンピュータシステム。
【請求項４８】
請求項４７において、前記自動化したワークフロープロセスが、更に、
前記脆弱性及び前記脆弱性データをレビューし、
前記脆弱性データを編集し、
前記脆弱性及び前記脆弱性データを承認し、
前記脆弱性及び前記脆弱性データをデータベースに対してパブリッシュする、
ことを包含しているコンピュータシステム。
【請求項４９】
請求項４７において、前記ワークフロープロセスにおける各ステップにおいて、参照名と、参照番号と、テクノロジー名とを包含している参照データを前記脆弱性データへ付加することが可能であり、且つ前記参照データが承認のためにアプルーバーに対して提示されるコンピュータシステム。
【請求項５０】
請求項４７において、前記ワークフロープロセスにおける各ステップにおいて、ワークフローコメントを前記脆弱性データへ付加することが可能であり、且つ前記ワークフローコメントを、最も最近に付加したものを最初に示す態様で前記ワークフロープロセスのステップ期間中に表示させることが可能であるコンピュータシステム。
【請求項５１】
請求項４７において、テクノロジー情報を階層的構造で前記脆弱性データへ付加し、前記テクノロジー情報が、少なくとも、
ベンダー情報、
プロダクト情報、
レリーズ情報、
を有しているコンピュータシステム。
【請求項５２】
請求項４７において、自動化したワークフロープロセスステップが、各々が１つ又はそれ以上のユーザの役割が割当てられている一人又はそれ以上のユーザにより実施され、各一人又はそれ以上のユーザは実質的タスクのリストが割当てられ各タスクは前記自動化したワークフロープロセス内の単一のプロセスステップにおける単一の脆弱性であるコンピュータシステム。
【請求項５３】
請求項５２において、前記一人又はそれ以上のユーザが、前記一人又はそれ以上のユーザに対して必要とされるレビューのレベルを決定するために前記自動化したワークフロープロセスにより使用することが可能な経験のレベルが割当てられるコンピュータシステム。
【請求項５４】
請求項５２において、前記一人又はそれ以上のユーザが１つ又はそれ以上のユーザのグループに割当てられ、前記タスクが前記１つ又はそれ以上のユーザのグループのうちの１つのユーザのグループに割当てることが可能であり前記一人又はそれ以上のユーザのうちのいずれか一人は前記タスクを開くことが可能であり、前記グループ内の一人のユーザが、前記ユーザが前記タスクと関連する処理ステップを実施することが可能となる前に前記タスクを開き、且つ前記タスクが開いている間に、前記タスクはロックされた状態にあり且つ前記グループ内の別のユーザは前記タスクを開くことが不可能であり且つ前記別のユーザは前記脆弱性データを修正することが不可能であるコンピュータシステム。
【請求項５５】
請求項５２において、前記実施すべき割り当てたタスクのリストが、前記一人又はそれ以上のユーザのうちの一人のユーザに対して表示されるタスクリストを有しており、前記ユーザが、前記タスクリストが表示される態様を変化させることが可能であるコンピュータシステム。
【請求項５６】
請求項５２において、前記一人又はそれ以上のユーザがログイン名及びパスワードを使用して前記自動化したワークフロープロセスへログインし、前記自動化したワークフロープロセスが、前記ユーザがどれ程長くログインしているかを表わすデータをキャプチャし、前記キャプチャしたデータがレポートを発生するために使用されるコンピュータシステム。
【請求項５７】
コンピュータシステムにおいて、
プロセッサ、
前記コンピュータシステムにより読取可能なプログラム格納装置であって、
コンフィギュレーションスタンダードを開始させ、
前記コンフィギュレーションスタンダードをリサーチし、
前記コンフィギュレーションスタンダードをコンフィギュレーションスタンダードデータ内にドキュメント化する、
ための自動化したワークフロープロセスを有するコンフィギュレーションスタンダードに対するテクノロジー情報をモニタするための方法ステップを実施するために前記プロセッサにより実行可能な命令からなるプログラムを実現しているプログラム格納装置、
を有しているコンピュータシステム。
【請求項５８】
請求項５７において、前記自動化したワークフロープロセスが、更に、
前記コンフィギュレーションスタンダード及び前記コンフィギュレーションスタンダードデータをレビューし、
前記コンフィギュレーションスタンダードデータを編集し、
前記コンフィギュレーションスタンダード及び前記コンフィギュレーションスタンダーデータを承認し、
前記コンフィギュレーションスタンダード及び前記コンフィギュレーションスタンダードデータをデータベースに対してパブリッシュする、
ことを包含しているコンピュータシステム。
【請求項５９】
請求項５７において、前記ワークフロープロセスにおける各ステップにおいて、参照名と、参照番号と、テクノロジー名とを包含している参照データを前記コンフィギュレーションスタンダードデータへ付加することが可能であり、前記参照データが承認のためのアプルーバーに対して提示されるコンピュータシステム。
【請求項６０】
請求項５７において、前記ワークフロープロセスにおける各ステップにおいて、ワークフローコメントを前記コンフィギュレーションスタンダードへ付加することが可能であり、且つ前記ワークフローコメントは、最も最近に付加したものが最初に示される態様で前記ワークフロープロセスのステップ期間中に表示させることが可能であるコンピュータシステム。
【請求項６１】
請求項５７において、テクノロジー情報を階層的構造で前記コンフィギュレーションスタンダードデータへ付加し、前記テクノロジー情報が、少なくとも、
ベンダー情報、
プロダクト情報、
レリーズ情報、
を有しているコンピュータシステム。
【請求項６２】
請求項５７において、自動化したワークフロープロセスステップが各々が１つ又はそれ以上のユーザの役割が割当てられている一人又はそれ以上のユーザにより実施され、各一人又はそれ以上のユーザは実施すべきタスクのリストが割当てられ、各タスクは前記自動化したワークフロープロセス内の単一のプロセスステップにおける単一のコンフィギュレーションスタンダードであるコンピュータシステム。
【請求項６３】
請求項６２において、前記一人又はそれ以上のユーザは、ユーザに対して必要とされるレビューのレベルを決定するために前記自動化したワークフロープロセスにより使用することが可能な経験のレベルが割当てられるコンピュータシステム。
【請求項６４】
請求項６２において、前記一人又はそれ以上のユーザは１つ又はそれ以上のユーザのグループが割当てられ、前記タスクはそのうちのいずれか一人が前記タスクを開くことが可能なユーザからなるグループへ割当てることが可能であり、前記グループ内の一人のユーザは、前記ユーザが前記タスクと関連する処理ステップを実施することが可能となる前に前記タスクを開き、且つ前記タスクが開かれている間に、前記タスクはロックされた状態にあり且つ前記グループ内の別のユーザは前記タスクを開くことが不可能であり且つ前記別のユーザは前記コンフィギュレーションスタンダードデータを修正することが不可能であるコンピュータシステム。
【請求項６５】
請求項６２において、前記実施すべく割当てられたタスクのリストが、ユーザに表示されるタスクリストを有しており、前記ユーザは前記タスクリストが表示される態様を変化させることが可能であるコンピュータシステム。
【請求項６６】
請求項６２において、前記ユーザはログイン名及びパスワードを使用して前記自動化したワークフロープロセスへログインし、前記自動化したワークフロープロセスが、前記ユーザがどれ程長い間ログインしているかを表わすデータをキャプチャし、前記キャプチャしたデータがレポートを発生するために使用されるコンピュータシステム。
【請求項６７】
コンピュータシステムにおいて、
プロセッサ、
前記コンピュータシステムにより読取可能なプログラム格納装置であって、
コンテントエントリを開始させ、
前記コンテントエントリをリサーチし、
前記コンテントエントリを妥当性検査し、
前記コンテントエントリを承認し、
前記コンテントエントリを承認したコンフィギュレーションスタンダードのデータベースに対してパブリッシュする、
ことを包含している自動化したワークフロープロセスと共に使用するためのコンフィギュレーションスタンダードを展開するための方法ステップを実施するために前記プロセッサにより実行可能な命令からなるプログラムを実現するプログラム格納装置、
を有しているコンピュータシステム。
【請求項６８】
コンピュータシステムにおいて、
プロセッサ、
前記コンピュータシステムにより読取可能なプログラム格納装置であって、自動化したワークフロープロセスを使用してコンテント管理システム内のコンテントをアップデートするための方法ステップを実施するために前記プロセッサにより実行可能な命令からなるプログラムを実現するプログラム格納装置、
を有しており、前記コンテント管理システム内のコンテントが、データを前記システムへプッシュするのではなく、要求された場合にシステムがアップデートされたコンテントを得ることを可能とすることによりプル方法を使用するコンテントアップデートシステムによりアップデートされるコンピュータシステム。
【請求項６９】
コンピュータシステムにおいて、
プロセッサ、
前記コンピュータシステムにより読取可能なプログラム格納装置であって、
コンテントエントリを開始させ、
前記コンテントエントリをリサーチし、
前記コンテントエントリを妥当性検査し、
前記コンテントエントリを承認し、
前記コンテントエントリを承認したポリシーのデータベータに対してパブリッシュする、
ことを包含している自動化したワークフロープロセスを使用してコンテント管理システム内において使用するポリシーを作成するための方法ステップを実施するために前記プロセッサにより実行可能な命令からなるプログラムを実現するプログラム格納装置、
を有しているコンピュータシステム。
【請求項６９】
脆弱性及びコンフィギュレーションスタンダードのうちの少なくとも１つに対するテクノロジー情報をモニタするためのコンピュータにより実行可能なコードを包含しているコンピュータ記録媒体において、
脆弱性を検知すること及びコンフィギュレーションスタンダードを開始させることの少なくとも１つ、
前記脆弱性及び前記コンフィギュレーションスタンダードのうちの少なくとも１つをリサーチ、
脆弱性データ内の前記脆弱性及びコンフィギュレーションスタンダード内の前記コンフィギュレーションスタンダードのうちの少なくとも１つのドキュメント化、
に対する自動化したワークフロープロセスを実施するためのコード、
を有しているコンピュータ記録媒体。
【請求項７０】
請求項６９において、自動化したワークフロープロセスを実施するための前記コードが、更に、
前記脆弱性及び前記脆弱性データをレビューし、
前記脆弱性データを編集し、
前記脆弱性及び前記脆弱性データを承認し、
前記脆弱性及び前記脆弱性データをデータベースに対してパブリッシュする、
ことを実施するコンピュータ記録媒体。
【請求項７１】
請求項６９において、更に、前記ワークフロープロセスにおける各ステップにおいて、参照名と、参照番号と、テクノロジー名とを包含する参照データを前記脆弱性データへ付加することが可能であり且つ前記参照データが承認のためにアプルーバーに対して提示されるようなコードを有しているコンピュータ記録媒体。
【請求項７２】
請求項６９において、更に、前記ワークフロープロセスにおける各ステップにおいて、ワークフローコメントを前記脆弱性データへ付加することが可能であり且つ前記ワークフローコメントを、最も最近付加したものが最初に示される態様で前記ワークフロープロセスのステップ期間中に表示させることが可能であるようなコードを有しているコンピュータ記録媒体。
【請求項７３】
請求項６９において、更に、階層的構造でテクノロジー情報を前記脆弱性データへ付加するためのコードを有しており、前記テクノロジー情報が、
ベンダー情報、
プロダクト情報、
レリーズ情報、
のうちの少なくとも１つを有しているコンピュータ記録媒体。
【請求項７４】
請求項６９において、自動化したワークフロープロセスステップが、各々が１つ又はそれ以上のユーザの役割が割当てられている一人又はそれ以上のユーザにより実施され、各一人又はそれ以上のユーザは実施すべきタスクのリストが割当てられ、各タスクは前記自動化したワークフロープロセス内の単一のプロセスステップにおける単一の脆弱性であるコンピュータ記録媒体。
【請求項７５】
請求項７４において、前記一人又はそれ以上のユーザは、前記一人又はそれ以上のユーザに対して必要とされるレビューのレベルを決定するために前記自動化したワークフロープロセスにより使用することが可能な経験のレベルが割当てられるコンピュータ記録媒体。
【請求項７６】
請求項７４において、前記一人又はそれ以上のユーザは１つ又はそれ以上のユーザのグループへ割当てられており、前記タスクは前記１つ又はそれ以上のユーザのグループのうちの１つのユーザのグループへ割当てることが可能であり前記一人又はそれ以上のユーザのうちのいずれか一人が前記タスクを開くことが可能であり、前記グループ内の一人のユーザは、前記ユーザが前記タスクと関連しているプロセスステップを実施することが可能となる前に前記タスクを開き、且つ前記タスクが開いている間は、前記タスクはロックされた状態にあり且つ前記グループ内の別のユーザが前記タスクを開くことが不可能であり且つ前記別のユーザは前記脆弱性データを修正することが不可能であるコンピュータ記録媒体。
【請求項７７】
請求項７４において、実施すべきタスクの前記割当てられたリストは前記一人又はそれ以上のユーザのうちの一人のユーザに対して表示されるタスクリストを有しており、前記ユーザは前記タスクリストが表示される態様を変化させることが可能であるコンピュータ記録媒体。
【請求項７８】
請求項７４において、前記一人又はそれ以上のユーザはログイン名及びパスワードを使用して前記自動化したワークフロープロセスへログインし、前記自動化したワークフロープロセスは前記ユーザがどれ程長い間ログインしているかを表わすデータをキャプチャし、前記キャプチャしたデータはレポートを発生するために使用されるコンピュータ記録媒体。
【請求項７９】
請求項６９において、前記自動化したワークフロープロセスは、更に、
前記コンフィギュレーションスタンダード及び前記コンフィギュレーションスタンダーデータをレビューし、
前記コンフィギュレーションスタンダードデータを編集し、
前記コンフィギュレーションスタンダード及び前記コンフィギュレーションスタンダードデータを承認し、
前記コンフィギュレーションスタンダード及び前記コンフィギュレーションスタンダードデータをデータベースに対してパブリッシュする、
ためのコードを有しているコンピュータ記録媒体。
【請求項８０】
請求項６９において、更に、前記ワークフロープロセスにおける各ステップにおいて、参照名と、参照番号と、テクノロジー名とを包含している参照データを前記コンフィギュレーションスタンダードデータへ付加することが可能であり且つ前記参照データが承認のためにアプルーバーに対して提示されるようなコードを有しているコンピュータ記録媒体。
【請求項８１】
請求項６９において、更に、前記ワークフロープロセスにおける各ステップにおいて、ワークフローコメントを前記コンフィギュレーションスタンダードデータへ付加することが可能であり且つ前記ワークフローコメントは、最も最近付加したものが最初に示されるような態様で前記ワークフロープロセスのステップ期間中に表示させることが可能であるようなコードを有しているコンピュータ記録媒体。
【請求項８２】
請求項６９において、更に、階層的構造で前記コンフィギュレーションスタンダードデータへテクノロジー情報を付加するためのコードを有しており、前記テクノロジー情報が、少なくとも、
ベンダー情報、
プロダクト情報、
レリーズ情報、
を有しているコンピュータ記録媒体。
【請求項８３】
請求項６９において、自動化したワークフロープロセスステップが、各々が１つ又はそれ以上のユーザの役割が割当てられている一人又はそれ以上のユーザにより実施され、各一人又はそれ以上のユーザは実施すべきタスクのリストが割当てられ、前記タスクのリスト内の各タスクは前記自動化したワークフロープロセス内の単一プロセスステップにおける単一コンフィギュレーションスタンダードであるコンピュータ記録媒体。
【請求項８４】
請求項８３において、前記一人又はそれ以上のユーザは、ユーザに対して必要とされるレビューのレベルを決定するために前記自動化したワークフロープロセスにより使用することが可能な経験のレベルが割当てられているコンピュータ記録媒体。
【請求項８５】
請求項８３において、前記一人又はそれ以上のユーザは１つ又はそれ以上のユーザのグループで割当てられており、前記タスクはそのうちの誰か一人が前記タスクを開くことが可能なユーザのグループへ割当てることが可能であり、前記グループ内の一人のユーザは、前記ユーザが前記タスクと関連するプロセスステップを実施することが可能となる前に前記タスクを開き、且つ前記タスクが開かれている間は、前記タスクがロックされた状態にあり且つ前記グループ内の別のユーザは前記タスクを開くことが不可能であり且つ前記別のユーザは前記コンフィギュレーションスタンダードデータを修正することが不可能であるコンピュータ記録媒体。
【請求項８６】
請求項８３において、実施すべきタスクの前記割当てたリストは、前記一人又はそれ以上のユーザのうちの一人のユーザに対して表示されるタスクリストを有しており、前記ユーザは前記タスクリストが表示される態様を変化させることが可能であるコンピュータ記録媒体。
【請求項８７】
請求項８３において、前記一人又はそれ以上のユーザは、ログイン名及びパスワードを使用して前記自動化したワークフロープロセスへログインし、前記自動化したワークフロープロセスは前記ユーザの各々がどれ程長い間ログインしているか表わすデータをキャプチャし、前記キャプチャしたデータはレポートを発生するために使用されるコンピュータ記録媒体。
【請求項８８】
コンピュータ記録媒体において、
コンテントエントリを開始させ、
前記コンテントエントリをリサーチし、
前記コンテントエントリを妥当性検査し、
前記コンテントエントリを承認し、
前記コンテントエントリを承認したコンフィギュレーションスタンダードのデータベースに対してパブリッシュする、
ためのコードを有している自動化したワークフロープロセスにおけるコンフィギュレーションスタンダードを展開するためのコンピュータにより実行可能なコードを有しているコンピュータ記録媒体。
【請求項８９】
請求項６において、前記自動化したワークフロープロセスが、前記自動化したワークフロープロセスステップが実施される時間の長さを示すデータをキャプチャする方法。
【請求項９０】
請求項１６において、前記自動化したワークフロープロセスが、前記自動化したワークフロープロセスステップが実施される時間の長さを示すデータをキャプチャする方法。
【請求項９１】
請求項２９において、前記自動化したワークフロープロセスが、前記自動化したワークフロープロセスステップが実施される時間の長さを示すデータをキャプチャするシステム。
【請求項９２】
請求項３９において、前記自動化したワークフロープロセスが、前記自動化したワークフロープロセスステップが実施される時間の長さを示すデータをキャプチャするシステム。
【請求項９３】
請求項５２において、前記自動化したワークフロープロセスが、前記自動化したワークフロープロセスステップが実施される時間の長さを示すデータをキャプチャするコンピュータシステム。
【請求項９４】
請求項６２において、前記自動化したワークフロープロセスが、前記自動化したワークフロープロセスステップが実施される時間の長さを示すデータをキャプチャするコンピュータシステム。
【発明の詳細な説明】
【技術分野】
【０００１】
本開示はコンテントに関するものであって、更に詳細には、コンテント管理システムに関するものである。
【背景技術】
【０００２】
今日、コンピュータネットワークセキュリティは極めて重要なことがらである。ネットワークはあるレベルのネットワークセキュリティを与えるために広範囲のセキュリティツールを包含している場合がある。このようなセキュリティツールを使用する場合であっても、ネットワークの脆弱性及びコンフィギュレーション問題は尚且つ潜在的に高コストのセキュリティリスクを示す場合がある。
【０００３】
脆弱性は、発見されたテクノロジー欠陥である。コンフィギュレーションスタンダードは、特定のテクノロジー即ち技術を実現し且つ監査するための命令である。脆弱性及びコンフィギュレーションスタンダードを矯正するめに人を使用することが可能である。脆弱性の処置が効率的且つ効果的なものであることを確保するために何を行うべきか且つどのようなチェックをシステムに与えるかを人々が知ることを助けるためにポリシーを使用することが可能である。
【０００４】
脆弱性及びコンフィギュレーションスタンダードの処置をより良く管理するために、是正処置は個別的なタスクへ分割することが可能であり、該タスクは個人個人へ分散される。タスクを識別し、タスクを分散させ、タスクを認識し、且つタスクの完了をキャプチャするための詳細な手順は、会社が再現性のあるプロセスを介して許容可能なレベルのリスクを達成することを助ける場合がある。
【発明の開示】
【発明が解決しようとする課題】
【０００５】
脆弱性を検知し、該脆弱性をリサーチし且つ該脆弱性を脆弱性データ内にドキュメント化するための自動化したワークフロープロセスを包含する脆弱性に対するテクノロジー情報をモニタする方法。
【課題を解決するための手段】
【０００６】
コンフィギュレーションスタンダードを開始させ、該コンフィギュレーションスタンダーをリサーチし、該コンフィギュレーションスタンダードをコンフィギュレーションスタンダードデータ内にドキュメント化するための自動化したワークフロープロセスを包含するコンフィギュレーションスタンダードに対するテクノロジー情報をモニタする方法。
【０００７】
コンテントエントリを開始させ、該コンテントエントリをリサーチし、該コンテントエントリを妥当性検査し、該コンテントエントリを承認し、且つ該コンテントエントリを承認したコンフィギュレーションスタンダードのデータベースに対してパブリッシュすることを包含している自動化したワークフロープロセスと共に使用するコンフィギュレーションスタンダードを展開するための方法。
【０００８】
自動化したワークフロープロセスを使用してコンテント管理システム内のコンテントをアップデートする方法において、該コンテント管理システム内のコンテントが、データを該システムへプッシュするのではなく、要求された場合にシステムがアップデートされたコンテントを得ることを可能とすることによりプル方法を使用するコンテントアップデートシステムによりアップデートされる方法。
【０００９】
コンテントエントリを開始させ、該コンテントエントリをリサーチし、該コンテントエントリを妥当性検査し、該コンテントエントリを承認し、且つ該コンテントエントリを承認したポリシーのデータベースに対してパブリッシュすることを包含している自動化したワークフロープロセスを使用してコンテント管理システム内において使用するポリシーを作成する方法。
【００１０】
脆弱性を検知するための検知器、該脆弱性をリサーチするためのリサーチャー（ｒｅｓｅａｒｃｈｅｒ）、該脆弱性を脆弱性データ内にドキュメント化するためのドキュメンター（ｄｏｃｕｍｅｎｔｅｒ）を包含している脆弱性に対するテクノロジー情報をモニタするための自動化したワークフローシステム。
【００１１】
コンフィギュレーションスタンダードを開始させるためのイニシエーター、該コンフィギュレーションスタンダードをリサーチするためのリサーチャー、該コンフィギュレーションスタンダードをコンフィギュレーションスタンダーデータ内にドキュメント化するためのドキュメンターを包含しているコンフィギュレーションスタンダードに対するテクノロジー情報をモニタするための自動化したワークフローシステム。
【００１２】
コンテントエントリを開始させるためのイニシエーター、該コンテントエントリをリサーチするためのリサーチャー、該コンテントエントリを妥当性検査するためのバリデーター（ｖａｌｉｄａｔｏｒ）、該コンテントエントリを承認するアプルーバー（ａｐｐｒｏｖｅｒ）、及び該コンテントエントリを承認したコンフィギュレーションスタンダードのデータベースに対してパブリッシュするためのパブリッシャー（ｐｕｂｌｉｓｈｅｒ）を包含している自動化したワークフローシステムと共に使用するコンフィギュレーションスタンダードを展開するためのシステム。
【００１３】
コンテント管理システム内のコンテントをアップデートするためのコンテントアップデートシステムを包含している自動化したワークフローシステムを使用するコンテント管理システム内のコンテントをアップデートするシステムにおいて、該コンテントアップデートシステムが、該システムへデータをプッシュするのではなく、要求された場合にシステムがアップデートされたコンテントを得ることを可能とするプル方法を使用するシステム。
【００１４】
自動化したワークフローシステムを使用してコンテント管理システム内において使用するポリシーを作成するシステムにおいて、コンテントエントリを開始させるイニシエーター、該コンテントエントリをリサーチするリサーチャー、該コンテントエントリを妥当性検査するバリデーター、該コンテントエントリを承認するアプルーバー、該コンテントエントリを承認されたポリシーのデータベースに対してパブリッシュするパブリッシャーを包含しているシステム。
【００１５】
コンピュータシステムにおいて、プロセッサ及び該コンピュータシステムにより読取可能なプログラム格納装置であって、脆弱性に対するテクノロジー情報をモニタするための方法ステップを実施するために該プロセッサにより実行可能な命令からなるプログラムを実現するプログラム格納装置を包含しており、該方法ステップが、脆弱性を検知すること、該脆弱性をリサーチすること、該脆弱性を脆弱性データ内にドキュメント化することを包含しているコンピュータシステム。
【００１６】
コンピュータシステムにおいて、プロセッサ及び該コンピュータシステムにより読取可能なプログラム格納装置であって、コンフィギュレーションスタンダードを開始させ、該コンフィギュレーションスタンダードをリサーチし、且つ該コンフィギュレーションスタンダードをコンフィギュレーションスタンダードデータ内にドキュメント化するための自動化したワークフロープロセスを包含しているコンフィギュレーションスタンダードに対するテクノロジー情報をモニタするための方法ステップを実施するために該プロセッサにより実行可能な命令からなるプログラムを実現するプログラム格納装置を有しているコンピュータシステム。
【００１７】
コンピュータシステムにおいて、プロセッサ、及び該コンピュータシステムにより読取可能なプログラム格納装置であって、コンテントエントリを開始させ、該コンテントエントリをリサーチし、該コンテントエントリを妥当性検査し、該コンテントエントリを承認し、該コンテントエントリを承認されたコンフィギュレーションスタンダードのデータベースに対してパブリッシュすることを包含している自動化したワークフロープロセスと共に使用するためのコンフィギュレーションスタンダードを展開するための方法ステップを実施するために該プロセッサにより実行可能な命令からなるプログラムを実現するプログラム格納装置を有しているコンピュータシステム。
【００１８】
コンピュータシステムにおいて、プロセッサ、及び該コンピュータシステムにより読取可能なプログラム格納装置であって、自動化したワークフロープロセスを使用してコンテント管理システム内のコンテントをアップデートするための方法ステップを実施するために該プロセッサにより実行可能な命令からなるプログラムを実現するプログラム格納装置を有しており、該コンテント管理システム内のコンテントが、データを該システムへプッシュするのではなく、要求された場合にシステムがアップデートされたコンテントを得ることを可能とすることによりプル方法を使用するコンテントアップデートシステムによりアップデートされるコンピュータシステム。
【００１９】
コンピュータシステムにおいて、プロセッサ、及び該コンピュータシステムにより読取可能なプログラム格納装置であって、コンテントエントリを開始させ、該コンテントエントリをリサーチし、該コンテントエントリを妥当性検査し、該コンテントエントリを承認し、且つ該コンテントエントリを承認したポリシーのデータベースに対してパブリッシュすることを包含している自動化したワークフロープロセスを使用してコンテント管理システム内において使用するポリシーを作成するための方法ステップを実施するために該プロセッサにより実行可能な命令からなるプログラムを実現するプログラム格納装置を有しているコンピュータシステム。
【発明を実施するための最良の形態】
【００２０】
図面に例示した本開示の好適実施例を説明する上で、説明の便宜上特定の用語を使用する。然しながら、本開示はそのように選択された特定の用語に制限されることを意図したものではなく、各特定の要素は同様の態様で動作する全ての技術的均等物を包含することを理解すべきである。
【００２１】
脆弱性は、発見されている技術的欠陥である。コンフィギュレーションスタンダードは特定のテクノロジー即ち技術を実現するための命令である。矯正されないままの脆弱性は、承認されていない人又はプログラムがネットワークへ接続されている情報テクノロジーシステム又はアセットへアクセスすることを可能とさせることによりネットワークセキュリティを脅かす場合がある。コンフィギュレーションスタンダードは、ネットワークアセットを保護するセキュリティ特徴がどのようにして構成されているかを支配する。拙い構成のセキュリティ特徴もネットワークセキュリティを著しく脅かす場合がある。
【００２２】
自動化したコンテント管理システム（ＣＭＳ）は、ネットワークセキュリティを脅かす可能性のある脆弱性及びコンフィギュレーションスタンダードの処置をより良く管理するために使用される。本開示の１実施例によれば、該ＣＭＳは、例えば、ネットワークサーバー等のコンピュータ上で通常稼動するコンピュータプログラムであり、それは、脆弱性及びコンフィギュレーションスタンダードの処置において個人のアクションを編成し且つ管理する。脆弱性及びコンフィギュレーションスタンダードの処置を管理するためにＣＭＳを使用する個人は「ユーザ」として知られている。各ユーザは、１つ又はそれ以上の役割を割当てられる場合がある。役割は、個人ユーザに対して割当てることが可能なタスクのタイプを支配する。役割は、又、責任グループに対して割当てることも可能である。責任グループは、特定のスキルセットを共有するユーザからなる１つのカテゴリである。責任グループに対して割当てられているタスクは、その責任グループのうちのいずれかのメンバーによって完了することが可能である。
【００２３】
本開示は自動化したＣＭＳに関連している。本開示の１実施例によれば、脆弱性及びコンフィギュレーションスタンダードを矯正する措置は個別的なタスクに分割されており、該タスクはそれらの関連する責任グループに従ってユーザに対して分散されている。一人のユーザにより完了されたタスクは、その脆弱性又はコンフィギュレーションが満足が行くように矯正されるまで、別のユーザに対して作成されるその後のタスクに通ずる場合がある。特定の脆弱性又はコンフィギュレーションスタンダードの矯正に関連する１つのタスクが一人のユーザにより完了され且つその結果同一の特定の脆弱性又はコンフィギュレーションスタンダードの矯正に関連する２番目のタスクが作成され且つ２番目のユーザに対して割当てられる場合には、簡単化のために、このシナリオは、本明細書においては、脆弱性が一人のユーザから２番目のユーザへ送信される又は経路付けされるという意味で言及する。ユーザからユーザへのこのタスクの伝播はワークフローと呼ぶことが可能である。本開示の１実施例によれば、ＣＭＳが自動化したワークフローを提供し、その場合に、新たなタスクが自動的に作成され且つユーザに対して割当てられ且つ完了したタスクは自動的にその後のタスクの作成をトリガする場合がある。
【００２４】
本開示の１実施例によれば、ＣＭＳは品質保証（ＱＡ）プロセスを包含している。このＱＡプロセスは、再現性のある高いレベルの品質で脆弱性及びコンフィギュレーションスタンダードが矯正されることを確保するためにＣＭＳがワークフローを介してタスクを管理することを可能とする。このＱＡプロセスは役割を個々のユーザと関連付ける。
【００２５】
タスクに関して作業するプロセス期間中に、ユーザはコンテントを発生する場合がある。コンテントは、テキスト、コンピュータコード又はユーザの現在のタスクと関連する脆弱性又はコンフィギュレーションスタンダードの矯正に貢献する場合のあるその他の何かとすることが可能である。
【００２６】
ユーザは、新たなコンテントを作成するか又は古いコンテントを編集することにより矯正を実現することが可能である。ユーザがタスクを完了し且つコンテントが変化されると、ＣＭＳが変化したコンテントをレビューし且つ潜在的に為された変化を承認するためのアプルーバーの役割を持ってユーザに対する新たなタスクを作成する。本開示の実施例によれば、複数の階層的承認レベルに対応する複数のアプルーバーが存在する場合がある。コンテントに対して為される変化は、最終的なアプルーバーにより承認されるまで有効なものとなることはない。コンテントの変化が最終的に承認された後に、その変化されたコンテントがコンテントデータベースへ付加される。アップデートされたコンテントへのアクセスを必要とするその後のタスクは、そのコンテントデータベースからアップデートされたコンテントをプル即ち引き出すことが可能である。該変化が承認されない場合には、該変化は消去されるか又は後に編集するために格納され、且つコンテントはその前の状態へ復帰する。複数のユーザが同時にコンテントを変化することを防止するために、一人のユーザが現在タスクに関して作業をしている間及び該コンテントが承認を待っている場合に、コンテントをロックすることが可能である。
【００２７】
各ユーザは複数のタスクが割当てられる場合がある。各ユーザはタスクリストを有しており、その場合にそのユーザに対して割当てられる全てのタスクがリストされる。ＣＭＳが個々のユーザに対して又は責任グループに対してタスクを割り当て、且つこれらのタスクは適宜のユーザのタスクリスト上に表われる。タスクリストは、又、リストされたタスクのステータスを表わす。タスクは、それが、そのタスクが割当てられているグループ内の一人のユーザにより完了されるべき使用可能である場合には、オープン即ち開いたステータスを有している。タスクは、そのタスクが、そのタスクがリストされているタスクリストのユーザにより現在作業されている場合にはパーソナルのステータスを有している。タスクは、そのグループ内の別のユーザが現在そのタスクに対して作業している場合には、ロックされたステータスを有している。タスクリストは、又、リストされたタスクの優先度を表わすことが可能である。優先度はそのタスクの重要性のレベルである。例えば、タスクの優先度は高、中、低とすることが可能である。タスクリストは、又、そのタスクがＣＭＳへ提示された日付を表わすことが可能である。タスクリストは、又、そのタスクの名前、そのタスクが影響を与えるテクノロジーアセット、及び／又はそのタスクが現在あるＱＡステップを表わすことが可能である。ＱＡステップは、脆弱性又はコンフィギュレーションスタンダードが品質保証プロセスにおいてどの程度処理されたかの表示である。タスクが、ここにおいて、レビュア、リサーチャー等のユーザに対して割当てられているという場合には、そのタスクが特定のユーザに対して、又はレビュア、リサーチャー等の特定の役割を担うユーザのグループに対して割当てることが可能であるものとして理解すべきである。
【００２８】
ユーザは、彼又は彼女のタスクリスト上にリストされているタスクをビュー即ち観察することが可能である。タスクのビューイング即ち観察は、そのユーザがそのタスクと関連するコンテントを見ることを可能とする。タスクをビューイングするユーザは、対応するコンテントに対して変更を行うことは不可能である。その他のビュアも、一人のユーザがそのタスクを現在ビューイングしている場合であっても、そのタスク及びそのコンテントへアクセスすることが可能である。そのユーザは、又、そのタスクをオープン即ち開くことが可能である。そのタスクが開かれている場合には、そのユーザは対応するコンテントに対して変更を行うことが許容されるが、その他のユーザは開かれているタスクを開くことは不可能である。
【００２９】
ユーザは、フィルタの使用によってタスクリスト内に表示されるタスクの順番を変更することが可能である。フィルタはコンテントのタイプによりタスクを表示することが可能である。コンテントのタイプは、そのタスクが脆弱性又はコンフィギュレーションスタンダードに関連するものか否かを表わす。フィルタは、又、ステータス又は優先度によってタスクを表示することが可能である。
【００３０】
本開示の１実施例によれば、ユーザに経験のレベルを割当てることが可能である。例えば、経験のレベルは、そのユーザが割当てられたタスクを処理する上でどれ程の経験を有しているかを表わすことが可能である。このユーザの経験レベルは、ユーザが行ったコンテントの変更即ち変化を最終的に承認する前に幾つのレベルのレビューが必要とされるかをＣＭＳが決定することを助ける。例えば、殆ど経験のないユーザは、より経験を有するユーザよりもより多くのレベルのレビューを必要とする場合がある。
【００３１】
各ＱＡステップにおいて、ユーザは参照名／番号及び新たなテクノロジー名をエンターすることが可能である。このテクノロジー名及び参照名／番号は、その脆弱性又はコンフィギュレーションスタンダードがどのアセットに関連しているかを識別する。アセットの名前及び参照に対してなされる変更は承認のためにアプルーバーに対して提示され、最終的な承認が与えられるまで有効となることはない。最終的な承認が与えられた後に、名前及び参照がコンテントデータベースへ付加される。
【００３２】
本開示の実施例は、関連するアセット間の関係を示すために階層的構造を使用するテクノロジー名を使用することが可能である。このテクノロジー名は、例えば、ベンダー名、プロダクト名、レリーズ番号、マイナーレリーズ番号、サービスパック番号及び／又はその他の記述的名前を包含することが可能である。脆弱性及びコンフィギュレーションスタンダードは、特定のアセット又はアセットのファミリィのいずれかに関連することが可能である。脆弱性又はコンフィギュレーションスタンダードがアセットのファミリィに関連する場合には、使用されるテクノロジー名は、影響されるアセットの全てを包含するテクノロジーとすることが可能である。例えば、脆弱性が与えられたプロダクト名に対する全てのレリーズ番号に関連する場合には、その脆弱性はベンダー名及びプロダクト名で識別することが可能である。脆弱性が特定のマイナーレリーズ番号に関連するに過ぎない場合には、そのテクノロジー名はベンダー名、プロダクト名、レリーズ番号及びマイナーレリーズ番号である場合がある。アセットのファミリィに対して取られる矯正ステップはそのファミリィ内の全てのアセットに対して適用することが可能である。
【００３３】
タスクを開いたユーザは、脆弱性又はコンフィギュレーションスタンダードのコンテントの一部であるワークフローコメントフィールドへ加筆することが可能である。ワークフローコメントは、タスクがユーザにより開かれる場合に、コンテントと共に表示することが可能である。ワークフローコメントは、最も最近加筆したものが最初に表われるように表示することが可能である。
【００３４】
本開示の１実施例によれば、各ユーザは関連するユーザアカウントを有することが可能である。このユーザアカウントは、ＣＭＳのアドミニストレータ即ち管理者により維持される。ユーザアカウントは、そのユーザの会社名、ログイン名、及び設定したパスワードスタンダードに準拠するパスワード等の情報を格納することが可能である。ユーザは、そのタスクリストへのアクセスを得るためにＣＭＳへログインする。
【００３５】
ＣＭＳはＣＭＳ利用データをキャプチャし且つ格納する。ユーザがログイン及びログアウトする時間に関するデータが記録される。ＣＭＳへ提示されるデータ脆弱性及びコンフィギュレーションスタンダードも記録される。脆弱性及びコンフィギュレーションスタンダードがＣＭＳ内にある時間の長さも記録することが可能である。本開示の１実施例によれば、この時間の長さは、その脆弱性又はコンフィギュレーションスタンダードに関する最初のタスクが開始された時間から最終的承認のタスクが完了される時間まで取られる。この情報は高い優先度の脆弱性及びコンフィギュレーションスタンダードに対して特に記録される。時間データの長さも全ての矯正に関連する全ての個別的なタスクに対して記録することが可能である。記録されたデータはユーザ活動レポート等のメトリクスを発生するために使用することが可能である。
【００３６】
ユーザのアカウントはＣＭＳ管理者により非活性化させることが可能である。ユーザアカウントが非活性化されると、そのユーザに関連する全ての開いたタスクはそのユーザのグループへ復帰するか又は再割当される。
【００３７】
図１は脆弱性の矯正に関連するＱＡプロセスのハイレベルの図を示している。この模式図はＱＡステップ及びそのＱＡステップに関連するタスクが割当てられる場合のあるユーザの役割を特定する。タスクがユーザに割当てられると、そのタスクはそのユーザのタスクリスト内に表われる。脆弱性が別のユーザへ送られると、その他のユーザのタスクリスト内に新たなタスクが作成され且つ元のタスクが完了される。本開示のこの実施例によれば、最初のタスクは脆弱性イニシエーターの役割を担うユーザに対して割当てられる。この脆弱性イニシエーターは新たな脆弱性を開始させることが可能である（ステップＳ１）。この脆弱性イニシエーターは、該新たな脆弱性に関連するコンテントを作成することが可能である。例えば、そのコンテントは該脆弱性の記述を包含することが可能である。自動化したＣＭＳにおける不必要な遅延を防止するために、ユーザは、設定された量の時間の間開いているタスクを有するに過ぎない場合がある。例えば、本開示の１実施例によれば、脆弱性コンテントは４８時間未満の期間の間開いているに過ぎない場合があり、又は該脆弱性がアンロックされ且つ該コンテントに対してなされた変更即ち変化が失われる。そのユーザは、その脆弱性が２４時間の間開かれた後にこの事実が警告される場合がある。
【００３８】
脆弱性イニシエーターが新たな脆弱性を開始させた後に（ステップＳ１）、それにより割当てられたタスクを完了し、脆弱性レビュアの役割を担うユーザが初期的なレビューを実施する（ステップＳ２）。レビューすべき脆弱性は脆弱性コンテントをレビューする脆弱性レビュアのタスクリスト内に表われる。該初期的レビュアは、例えば、その脆弱性が既にＣＭＳ内に存在しているか又は有効な脆弱性でないことが知られている場合には、その脆弱性を拒否することが可能である。例えば、同一の疑われた脆弱性が過去に拒否されている場合には、脆弱性は有効な脆弱性ではないものとして知られている場合がある。その脆弱性が拒否されると、その脆弱性は最終的な拒否のために脆弱性最終的アプルーバーのタスクリストへ送ることが可能である（ステップＳ８）。最終的な拒否はその脆弱性の矯正を終了させることが可能である。脆弱性レビュアは、又、その脆弱性を承認する場合があり（ステップＳ２）、それにより割当てられたタスクを完了する。承認された脆弱性は、脆弱性リサーチャーの役割を担う一人のユーザ又はユーザのグループに対して割当てられる。そのタスクが脆弱性リサーチャーのグループに対して割当てられる場合には、そのタスクは、そのグループ内の一人のユーザがそのタスクを開くまでそのグループ内の各ユーザのタスクリスト内に表われることが可能であり、その時点において、そのグループ内の他のユーザは、最早、そのタスクを開くことは不可能である。そのタスクが特定のユーザに対して割当てられると、そのユーザのみがそのタスクを開くことが可能である。最初にそのタスクを開いたユーザは、脆弱性をリサーチし且つコンテントをアップデートすることが可能である（ステップＳ３）。そのリサーチャーは、拒否のためにその脆弱性にマーク付けをし且つそれを最終的なアプルーバーへ送るか（ステップＳ８）、その脆弱性をコンサルタントへ送るか（ステップＳ４）、アップデートした脆弱性コンテントを脆弱性バリデーターへ送るか（ステップＳ６）、又はその脆弱性が主要な脆弱性であるとリサーチャーが考える場合にはその脆弱性をプレアラート（ｐｒｅ−ａｌｅｒｔ）フラッグでマーク付けを行う。例えば、脆弱性が主要なアセットに影響を与えるか、その脆弱性がベンダーにより未だに認識されておらず且つその脆弱性を矯正するためのパッチが存在していないか又はその脆弱性が深刻であり且つ多様な主要ではないアセットに影響を与える場合には、脆弱性が主要なものであると考えられる。リサーチャー、又はバリデーターがその脆弱性をコンサルタントへ送る場合には、そのコンサルタントはリサーチ及び妥当性検査プロセスを助ける（ステップＳ４）。コンサルタントは脆弱性コンテントを編集し、次いで、それを更なるリサーチのためにリサーチャーへ送り戻すことが可能である（ステップＳ３）。コンサルタントは、管理されるべき情報テクノロジーの管理と関連している任意のユーザ、又は管理されるべき情報テクノロジーと関連している個人である場合がある。リサーチャーが脆弱性にプレアラートフラッグでマーク付けし且つその脆弱性をワークフローに戻すと、最終的なアプルーバーが彼又は彼女のタスクリストにおいてそのプレアラートを受取る（ステップＳ５）。その最終的なアプルーバーは、そのプレアラートを承認するか又はそのプレアラートを拒否することが可能である。いずれの場合においても、その脆弱性は脆弱性リサーチャーのタスクリストへ送られる。脆弱性リサーチャーが、リサーチが完了したことを決定する場合には、その脆弱性は脆弱性バリデーターへ送られる（ステップＳ６）。脆弱性バリデーターは、脆弱性コンテントの妥当性検査を行う。このことは、その脆弱性について拒否を行うか、その脆弱性をコンサルテーションのためにコンサルタントへ送るか（ステップＳ４）、その脆弱性をリサーチを継続するためにリサーチャーへ返すか（ステップＳ３）、又は脆弱性コンテントの妥当性検査を行うかのいずれかが関与する。脆弱性バリデーターが脆弱性コンテントの妥当検査を行うと（ステップＳ６）、その脆弱性は脆弱性テクニカルエディターのタスクリストへ移動される（ステップＳ７）。テクニカルエディターはフォーマット及び明確性についてその脆弱性コンテントを編集する。次いで、その脆弱性は脆弱性最終的アプルーバーのタスクリストへ送られる（ステップＳ８）。脆弱性最終的アプルーバーは、最終的な承認ステップを実施し、その場合に彼又は彼女はその脆弱性を拒否するか、その脆弱性を継続してリサーチするためにリサーチャーへ返すか（ステップＳ３）、その脆弱性コンテントを承認するかのいずれかを行う能力を有している。脆弱性最終的アプルーバーにより承認された脆弱性コンテントはコンテントデータベースへ付加される。
【００３９】
図２はコンフィギュレーションスタンダードの矯正のためのＱＡプロセスのハイレベル図を示している。一人のユーザが別のユーザへコンフィギュレーションスタンダードを送り、それによりタスクを完了すると、その他のユーザのタスクリスト内に新たなタスクが作成される。コンフィギュレーションスタンダードイニシエーターが新たなコンフィギュレーションスタンダードを開始させる（ステップＳ１１）。該コンフィギュレーションスタンダードが作成されている間に、そのコンフィギュレーションスタンダードはロックされ且つその他のユーザはそのコンフィギュレーションスタンダードコンテントを開くことは不可能である。該コンフィギュレーションスタンダードが開始された後に、それはコンフィギュレーションスタンダードレビュアへ送られる（ステップＳ１２）。コンフィギュレーションスタンダードレビュアは該コンフィギュレーションスタンダードの初期的レビューを実施する。コンフィギュレーションスタンダードレビュアは、そのコンフィギュレーションスタンダードをリサーチグループに対して又は個別的なリサーチャーに対して割当てることが可能である（ステップＳ１３）。この初期的レビュアは、又、例えば、それが既にＣＭＳ内に存在しているか又は有効なコンフィギュレーションスタンダードでないことが知られている場合には、コンフィギュレーションスタンダードを拒否することが可能である。該コンフィギュレーションスタンダードリサーチャーは、該コンフィギュレーションスタンダードに関してのリサーチを実施する（ステップＳ１３）。該コンフィギュレーションスタンダードリサーチャーは、該コンフィギュレーションスタンダードを拒否するためのマーク付けをし且つ該コンフィギュレーションスタンダードを拒否のために最終的なアプルーバーへ提示するか（ステップＳ１７）、コンフィギュレーションスタンダードコンテントをコンサルタントへ送るか（ステップＳ１４）又は該コンフィギュレーションスタンダードコンテントをアップデートし且つそれをコンフィギュレーションスタンダードバリデータへ送るか（ステップＳ１５）のいずれかを行う能力を有している。該コンサルタントは、そのタスクが彼又は彼女のタスクリスト内にエンターする場合に、電子メールを受取る場合がある。該コンフィギュレーションスタンダードコンサルタントは、該コンフィギュレーションスタンダードのリサーチ及び妥当性検査を助けることが可能である（ステップＳ１４）。該コンサルタントは、該コンフィギュレーションスタンダードコンテントを編集し且つ次いで、それを誰がそれを送ったかに依存してリサーチャー（ステップＳ１３）又はバリデーター（ステップＳ１４）へ送り戻すことが可能である。コンサルタントが５日以内にそのタスクを開かない場合には、そのタスクはそれを送ったリサーチャー又はバリデーターへ戻される。ステップＳ１５において、コンフィギュレーションスタンダードバリデータは、そのコンフィギュレーションスタンダードを拒否するためのマーク付けをし且つそのコンフィギュレーションスタンダードを最終的な承認のためにコンフィギュレーションスタンダード最終的アプルーバーへ送るか（ステップＳ１７）、該コンフィギュレーションスタンダードをコンサルタントへ送るか（ステップＳ１４）、該コンフィギュレーションスタンダードをリサーチを継続するためにリサーチャーへ送るか（ステップＳ１３）、又は該コンフィギュレーションスタンダードコンテントを妥当性検査し且つそれをコンフィギュレーションスタンダードテクニカルエディターへ送るか（ステップＳ１６）のいずれかを行うことが可能である。ステップＳ１６において、コンフィギュレーションスタンダードテクニカルエディターは、フォーマット及び明確性について該コンフィギュレーションスタンダードコンテントを編集し、次いで、それをコンフィギュレーションスタンダード最終的アプルーバーへ送る。ステップＳ１７において、コンフィギュレーションスタンダード最終的アプルーバーは、該コンフィギュレーションスタンダードを拒否するか、それをリサーチャー（ステップＳ１３）又はバリデーター（ステップＳ１５）へリターンするか、又は該コンフィギュレーションスタンダードコンテントを承認するかのいずれかを行う。承認されたコンフィギュレーションスタンダードコンテントはコンテントデータベースへ付加される。
【００４０】
ポリシーは、ユーザの挙動を規制するために使用することが可能なテキストドキュメントである。図３はＣＭＳ内に新たなポリシーをエンターするためのワークフローのハイレベル図を示している。開始期間中（ステップＳ２１）、ユーザはグラフィックユーザインターフェースを使用して新たなコンテントエントリを開始させ且つ該コンテントがそのコンテントのタイプを取り扱うことが認定されているユーザに対して割当てられる。このユーザは該コンテントをリサーチし（ステップＳ２２）且つそれを拒否するか、それを最終的アプルーバーへ送るか（ステップＳ２７）、又はそれを妥当性検査されるべく送るか（ステップＳ２３）のいずれかを行うことが可能である。バリデーションステップＳ２３において、バリデーターはそのコンテントを受付け且つそれを編集のためにテクニカルエディターへ転送することが可能である（ステップＳ２４）。該バリデーターは、又、そのコンテントを拒否し且つ最終的アプルーバーに通知することが可能である（ステップＳ２８）。情報が欠如している場合には、該バリデーターは更なるリサーチのために該コンテントをリサーチャーへリターンすることが可能である（ステップＳ２２）。編集期間中（ステップＳ２４）、該テクニカルエディターはフォーマット及び明確性について該コンテントを編集し且つそれを承認キューへ送る（ステップＳ２５）。該承認キューは、例えば、該アプルーバーのタスクリストとすることが可能である。承認ステップＳ２５において、該アプルーバーはその提起物を受付けるか、拒否するか、又は付加的な情報のためにバリデーターへ後退させることが可能である。拒否される場合には、該提起物は承認されなかったものとして保存される（ステップＳ２９）。アプルーバーが質問を有している場合には、該提起物は更なる妥当性検査のためにバリデーターへリターンすることが可能である（ステップＳ２３）。アプルーバーにより受付けられる場合には、そのコンテントはパブリッシングへ送られる（ステップＳ２６）。パブリッシング期間中、リサーチチームはパブリケーション前の最終的なチェックを実施することが可能であり、次いで該コンテントはコンテントデータベースに対してパブリッシュすることが可能である（ステップＳ３０）。
【００４１】
図４はＣＭＳ内に新たな脆弱性を導入するためのフローチャートを示している。ウエブモニタリング及びリサーチ期間中（ステップＳ３１）、リサーチチームはインターネットニューズグループ、メイリングリスト及びアラートサービスをモニタして新たな脆弱性に関する情報を獲得する。潜在的な脆弱性が認識されると、リサーチャーが脆弱性コンテントをコンテント展開開始キューへ提起する（ステップＳ３２）。該コンテント展開開始キューは、例えば、脆弱性コンテントマネージャのタスクリストの一部とすることが可能である。脆弱性コンテントマネージャが、その潜在的な脆弱性が主要なものであると思料する場合には、プレアラート通知がすぐさま発行される。脆弱性は、それが主要なアセットに影響を与えるか、その脆弱性がベンダーにより未だに認識されておらず且つその脆弱性を矯正するためのパッチが存在しないか、又はその脆弱性が深刻であり且つ多様な主要でないアセットに影響を与える場合に主要なものであると考えられる。コンテントマネージャは、各新たな脆弱性をリサーチのために適宜のリサーチャーへ割当てる。該リサーチャーは、その脆弱性が存在することを検証するためにその潜在的な脆弱性を分析、テスト及び／又はドキュメント化することが可能である（ステップＳ３３）。該脆弱性が現実的なものであると思われる場合には、該リサーチャーは該脆弱性の独特の記述を脆弱性コンテントへ付加することが可能である。該リサーチャーは、又、その脆弱性がアセットに与える可能性のあるインパクト、該脆弱性のポピュラリティ及び／又は該脆弱性を活用するのに必要な技術の複雑性を表わすための値を割当てることが可能である。該リサーチャーは、次いで、該脆弱性に対してのいずれかのベンダーのパッチ及び／又は該脆弱性コンテントにおけるリスクを緩和するための何等かのその他の対抗手段をドキュメント化することが可能である。次いで、該脆弱性はバリデーターへ送られ、該バリデーターは正確度及び完全性について該脆弱性コンテントをレビューする（ステップＳ３４）。次いで、テクニカルエディターは、用語が明確であること及びそのスタイルが設定したスタンダードに準拠することを確保するために該脆弱性コンテントをレビューすることが可能である（ステップＳ３５）。次いで、脆弱性コンテントマネージャは、その情報が正確であり且つ完全であることを確保するために該脆弱性コンテントをレビューすることが可能である（ステップＳ３６）。次いで、アプルーバーは、品質保証チェックを実施し、次いで、コンテントデータベースに対するパブリケーションのために該脆弱性コンテントを脆弱性コンテントマネージャへ退却させることが可能である（ステップＳ３７）。
【００４２】
図５は、図４のステップＳ３３において実施されるように、どのようにして脆弱性がリサーチされ且つドキュメントされるかをより詳細に示したフローチャートを示している。脆弱性コンテントマネージャがリサーチャーのタスクリスト又はキューに対して脆弱性を割当てた後に（ステップＳ４１）、リサーチャーは、その脆弱性が既に報告されたか否かを判別するために脆弱性データベースをチェックする（ステップＳ４２）。該リサーチャーは該脆弱性をレビューし且つ同一の脆弱性を確立する付加的なソースを見つけるべく試みることが可能である（ステップＳ４３）。該脆弱性に対する２番目のソースを見つけることが可能である場合には（ｙｅｓ、ステップＳ４３）、該リサーチャーは該脆弱性をリサーチし且つドキュメント化する（ステップＳ４４）。次いで、該リサーチャーはレビューのために該脆弱性を提示し（ステップＳ４５）且つ該脆弱性は妥当性検査へ進行する（ステップＳ６０）。２番目のソースを見つけることができない場合には（ｎｏ、ステップＳ４３）、該リサーチャーは該脆弱性に対するベンダー又はテストで該脆弱性を検証しようと試みる（ステップＳ４６）。該脆弱性を検証することが可能である場合には（ｙｅｓ、ステップＳ４７）、該脆弱性は脆弱性コンテントにおいてドキュメント化され（ステップＳ４８）、レビューのために提起され（ステップＳ４９）、且つ妥当性検査のために送られる（ステップＳ６０）。該脆弱性を検証することができない場合には（ｎｏ、ステップＳ４７）、そのサーチの結果は該コンテントにおいて注記され且つ該脆弱性は脆弱性コンテントマネージャへ送られる（ステップＳ５０）。該コンテントマネージャは該脆弱性コンテントをレビューし（ステップＳ５１）且つ検証されなかった脆弱性を検証することが可能であると考える場合には（ＹＥＳ、ステップＳ５４）、更なるリサーチのためにそれをリターンすることが可能である（ステップＳ５２）。代替例においては、検証されていない脆弱性が付加的なリサーチで検証することが不可能であると考える場合には（ＮＯ、ステップＳ５４）、後のリサーチのために検証されていない脆弱性に対するファイルへ該脆弱性コンテントを送ることが可能である（ステップＳ５３）。
【００４３】
図６は、図４のステップＳ３４及びＳ３５において実施されるように、どのようにして脆弱性を妥当性検査し且つ編集することが可能であるかをより詳細に与えるフローチャートを示している。バリデーターが、彼又は彼女のタスクリストにおいてレビューするために送られた脆弱性を受取る（ステップＳ６２）。バリデーターが、該脆弱性のインパクト、ポピュラリティ及び活用の簡単化を決定するために該脆弱性の性質を評価し、且つリサーチャーにより見つけられたいずれかの外部参照をレビューする場合がある（ステップＳ６３）。該脆弱性が有効なものではないとバリデーターが決定する場合には（ｎｏ、ステップＳ６４）、バリデーターは脆弱性コンテント内にコメントを記入し且つ該脆弱性を脆弱性マネージャへ追い出すことが可能である（ステップＳ６５）。該脆弱性が有効であるものとバリデーターが決定する場合には（ｙｅｓ、ステップＳ６４）、バリデーターは、該脆弱性に関する情報が完全であるか否かを決定することが可能である（ステップＳ６６）。不完全なものであると決定される場合には（ｎｏ、ステップＳ６６）、コメントを脆弱性コンテント内に記入することが可能であり且つ脆弱性はリサーチャーへ追い出される（ステップＳ６７）。該脆弱性が完全なものであると決定される場合には（ｙｅｓ、ステップＳ６６）、該脆弱性はレビューのために（ステップＳ６９）脆弱性コンテントマネージャへ追い出すことが可能である（ステップＳ６８）。脆弱性コンテントマネージャが、該脆弱性が無効であると決定する場合には（ｎｏ、ステップＳ７０）、それは後のリサーチのために検証されていない脆弱性ファイルへ送ることが可能である（ステップＳ７１）。該脆弱性が有効であると決定される場合には（ｙｅｓ、ステップＳ７０）、脆弱性コンテントマネージャは、該脆弱性に関する情報が完全であるか否かを決定することが可能である（ステップＳ７２）。完全なものでない場合には（ｎｏ、ステップＳ７２）、コメントを脆弱性コンテントへ付加することが可能であり且つ該脆弱性はリサーチャーへ追い出すことが可能である（ステップＳ７３）。完全である場合には（ｙｅｓ、ステップＳ７４）、該脆弱性はレビューのため（ステップＳ７５）テクニカルエディターへ経路付けすることが可能である（ステップＳ７４）。テクニカルエディターは、設定されたスタンダードとの準拠性及び用語について脆弱性コンテントを編集し、次いで、承認及びパブリケーションのために該脆弱性を脆弱性マネージャへ経路付けすることが可能である（ステップＳ７６）。
【００４４】
図７は、図４のステップＳ３６及びステップＳ３７において実施されるようなどのようにして脆弱性がレビューされ、承認され且つパブリッシュされるかのより詳細を与えるフローチャートを示している。脆弱性はテクニカルエディターから受取られ且つ脆弱性コンテントマネージャによりレビューされる（ステップＳ８２）。何等かの理由により、該脆弱性が受付けることができない場合には（ｎｏ、ステップＳ８３）、それは更なるリサーチ、妥当性検査及び／又は技術的レビューのためにリサーチャー、バリデーター又はテクニカルエディターへ戻されるべく経路付けすることが可能である（ステップＳ８５）。該脆弱性が受付可能である場合には（ｙｅｓ、ステップＳ８３）、それはレビューのため（ステップＳ８６）アプルーバーへ経路付けすることが可能である（ステップＳ８４）。アプルーバーが、該脆弱性が受付不可能であることを見出す場合には（ｎｏ、ステップＳ８７）、該脆弱性は脆弱性マネージャへ戻されるべく経路付けされる（ステップＳ８８）。アプルーバーが、該脆弱性が受付可能なものであることを見出す場合には（ｙｅｓ、ステップＳ８７）、アプルーバーはパブリケーションのために該脆弱性を承認し（ステップＳ８９）且つ該脆弱性をパブリケーションのために脆弱性コンテントマネージャへ送る（ステップＳ９０）。次いで、脆弱性コンテントマネージャは脆弱性データベースに対して該脆弱性をパブリッシュする（ステップＳ９１）。
【００４５】
図８は本開示の方法及びシステムを実現することが可能なコンピュータシステムの１例を示している。本開示のシステム及び方法は、例えば、メインフレーム、パソコン（ＰＣ）、ハンドヘルドコンピュータ、サーバー等のコンピュータシステム上で稼動するソフトウエアアプリケーションの形態で実現することが可能である。該ソフトウエアアプリケーションは、コンピュータシステムにより局所的にアクセス可能であり且つ、例えば、ローカルエリアネットワーク、又はインターネット等のネットワークに対してハードワイヤード又はワイヤレス接続を介してアクセス可能な記録媒体上に格納することが可能である。
【００４６】
大略システム１００として言及するコンピュータシステムは、例えば、中央処理装置（ＣＰＵ）１０２、ランダムアクセスメモリ（ＲＡＭ）１０４、プリンタインターフェース１０６、ディスプレイユニット１０８、ローカルエリアネットワーク（ＬＡＮ）データ伝送制御器１１０、ＬＡＮインターフェース１１２、ネットワーク制御器１１４、内部バス１１６、例えばキーボード、マウス等の１個又はそれ以上の入力装置１１８を包含することが可能である。図示したように、システム１００は、リンク１２２を介して例えばハードディスク１２０等のデータ格納装置へ接続することが可能である。
【図面の簡単な説明】
【００４７】
【図１】脆弱性に対する品質保証プロセスのハイレベル図。
【図２】コンフィギュレーションスタンダードに対する品質保証プロセスのハイレベル図。
【図３】ＣＭＳ内に新たなポリシーをエンターするためのワークフローのハイレベル図。
【図４】新たな脆弱性をＣＭＳ内へ導入するためのフローチャート。
【図５】どのようにして脆弱性がリサーチされ且つドキュメント化されるかの詳細を示したフローチャート。
【図６】どのようにして脆弱性が妥当性検査されるかの詳細を示したフローチャート。
【図７】どのようにして脆弱性が承認され且つパブリッシュされるかの詳細を示したフローチャート。
【図８】本開示の方法及び装置を実現することが可能なコンピュータシステムの１例を示した概略図。
【図１】
2006511855.tif 000003
【図２】
2006511855.tif 000004
【図３】
2006511855.tif 000005
【図４】
2006511855.tif 000006
【図５】
2006511855.tif 000007
【図６】
2006511855.tif 000008
【図７】
2006511855.tif 000009
【図８】
2006511855.tif 000010
【国際調査報告】
2006511855.tif 000011
2006511855.tif 000012
2006511855.tif 000013